(57)【要約】【課題】大型の屋外表示装置あるいはインテリア材に適した文字あるいは絵を表示することができる表示装置を提供する。【解決手段】エレクトロクロミック表示素子を構成する矩形状に形成された発色部２１を枠部材２８に取付けた複数の表示素子２０をベース３２にマトリックス状に配置した表示部１１と、この表示部１１の表示素子２０のそれぞれにマトリックス配線１３により接続されて電圧を印加するための駆動回路１２と、この駆動回路１２に表示のために表示素子２０への電圧印加の制御信号を与える制御ボード１４と、駆動回路１２へ電源を供給するための電源回路１５とを備える。【選択図】　　　図１
2004045800.tif 000002
【特許請求の範囲】
【請求項１】
エレクトロクロミック表示素子を構成する矩形状に形成された発色部を枠部材に取付けた複数の表示素子をベースにマトリックス状に配置した表示部と、この表示部の表示素子のそれぞれにマトリックス配線により接続されて電圧を印加するための駆動回路と、この駆動回路に表示のために表示素子への電圧印加の制御信号を与える制御ボードと、前記駆動回路へ電源を供給するための電源回路とを備えたことを特徴とする表示装置。
【請求項２】
請求項１記載の表示装置の表示素子は、前記枠部材に発色部の電極にダイオードを介して接続された端子が下側に突出され、該端子が前記ベースの表面に形成された孔に差込んで取付けられ、かつ前記端子がベースの裏面に設けられたマトリックス配線に接続されることを特徴とする表示素子構造。
【発明の詳細な説明】
【０００１】
【発明の属する技術分野】
本発明は、エレクトロクロミック材料を利用した表示素子をマトリックス状に配置した表示装置及びその表示素子の構造に関するものである。
【０００２】
【従来の技術】
従来、電極となる透明導電膜を形成した２枚の対向するガラス基板の間に、例えば、スチリル型化合物等のエレクトロクロミック材料を封入し、電極間に電圧を印加することで発色するエレクトロクロミック表示素子が知られている。この種の表示素子は、液晶と比較して視覚依存性がなく、色が明るく、鮮明であるとともに、電流量を変化させると微妙に色合いを変化させることが可能である。
【０００３】
【発明が解決しようとする課題】
エレクトロクロミック表示素子は、上記のように優れた特性を有しているが、電圧の印加及び遮断に対する発色及び消色の応答性に問題点があり、また、１つの表示素子の大きさが数センチ単位の大きさのために、他の液晶等と同様の画像表示として利用することが困難であった。しかしながら、応答性を問題にしない屋外で使用する大型の宣伝用の表示装置あるいはインテリア材としてエレクトロクロミック表示素子を表示装置として使用することが可能であるが、従来このような表示装置は、実現されていなかった。
【０００４】
本発明は上記事情に鑑みなされたもので、大型の屋外表示装置あるいはインテリア材に適した文字あるいは絵を表示することができる表示装置及びそれに使用する表示素子の構造を提供することを目的とする。
【０００５】
【課題を解決するための手段】
上記目的を達成するために請求項１に記載の発明にあっては、エレクトロクロミック表示素子を構成する矩形状に形成された発色部を枠部材に取付けた複数の表示素子をベースにマトリックス状に配置した表示部と、この表示部の表示素子のそれぞれにマトリックス配線により接続されて電圧を印加するための駆動回路と、この駆動回路に表示のために表示素子への電圧印加の制御信号を与える制御ボードと、前記駆動回路へ電源を供給するための電源回路とを備えたことを特徴とするものである。表示部の表示素子を制御ボードからの制御信号で駆動回路で電圧を印加することで、大型の屋外表示装置あるいはインテリア材に適した文字あるいは絵を表示することができる。
【０００６】
請求項２に記載の発明にあっては、請求項１記載の表示装置の表示素子は、前記枠部材に発色部の電極にダイオードを介して接続された端子が下側に突出され、該端子が前記ベースの表面に形成された孔に差込んで取付けられ、かつ前記端子がベースの裏面に設けられたマトリックス配線に接続されることを特徴とするものである。表示素子は、発色部が枠部材に取付けら、その枠部材にダイオードを介して接続された端子が下側に突出されているため、端子をベースに差込むことで、簡単に取付けることができ、同時にマトリックス配線に接続されるため、交換等も容易になる。
【０００７】
【発明の実施の形態】
以下、本発明を図示の一実施形態により具体的に説明する。図１〜図５は本発明実施形態の表示装置及び表示素子の構造を説明する図であり、図１は表示装置の拡大部分断面図、図２は表示装置の全体構成を説明する図、図３は表示素子を構成する発色部を説明する断面図、図４は表示素子の斜視図、図５は表示素子の回路構成を説明する図である。
【０００８】
これらの図において、本実施形態の表示装置１０は、複数の表示素子２０をマトリックス状に配置した表示部１１と、この表示部１１の表示素子２０のそれぞれにマトリックス配線１３により接続されて１．５〜３Ｖ程度の電圧を印加するための駆動回路１２と、この駆動回路１２に文字あるいは絵の表示のために表示素子２０への電圧印加の制御信号を与える制御ボード１４と、駆動回路１２へ電源を供給するための電源回路１５とから構成されている。
【０００９】
表示素子２０は、エレクトロクロミック表示素子を構成する矩形状に形成された発色部２１が、枠部材２８に取付けられているものである。この発色部２１は、例えば、３〜２０ｃｍ□程度の２枚のガラス基板２２，２４の表面に、透明電極２３，２５を形成したものを５０〜１５０μｍ程度の一定の距離で対向させて、内部にエレクトロクロミック材２６を封入し、周囲を封止部２７により封止し、透明電極２３，２５をマトリックス配線１３に接続するために周囲に導出している。枠部材２８は、矩形状に形成され発色部２１を取付けるものであり、受け台２８ａとカバー２８ｂとから構成されている。受け台２８ａは、例えば、黒色のプラスチック材料等から成型されており、５ｍｍ程度の幅と厚さを有する矩形枠状で発色部２１の周囲を取付ける溝が形成され、周囲の４隅には透明電極２３，２５にそれぞれ２本ずつ接続される合計４本の細い棒状の端子２９が下側に突出され、かつ透明電極２３，２５と端子２９との間に接続される小型のショットキーダイオード３０，３１が取付けられているものである。カバー２８ｂは、受け台２８ａと同様のプラスチック材料から成型されており、５ｍｍ程度の幅と２．５ｍｍ程度の厚さを有する矩形枠状に形成され、発色部２１が取付けられた受け台２８ａの表面に取付けられるものである。すなわち、表示素子２０は、発色部２１が枠部材２８に取付けられ、その枠部材２８の４隅に透明電極２３，２５にショットキーダイオード３０，３１を介して接続された端子２９が下側に突出されている。この端子２９は、後に詳細に説明するように、ベース３２に差込んで取付けるとともに、マトリックス配線１３に接続するための機能を有するものである。
【００１０】
表示部１１は、例えば、表示素子２０を縦横に４個、８個、１６個あるいは３２個ずつ隣接して平板状のベース３２にマトリックス状に取付けたものである。このベース３２は、例えば、１０ｍｍ程度の透明なアクリル樹脂等の材料からなる取付け板であり、その表面には４本の端子２９を差込んで表示素子２０を隣接させてマトリックス状に取付けるための多数の孔３２ｂが形成され、裏面にはマトリックス配線１３を通す配線溝３２ａが形成され、かつ配線溝３２ａ内には端子２９の下端部が突出されて共通線及び信号線からなるマトリックス配線１３に接続されるようになっている。
【００１１】
上記構成の表示装置１０は、エレクトロクロミック材料２６からなる表示素子２０をマトリックス状に配置した表示部１１が、制御ボード１４からの制御信号に基づいて、電源回路１５から供給される電圧を駆動回路１２からマトリックス配線１３、ショットキーダイオード３０，３１、端子２９を介して、それぞれの発色部２１の透明電極２３，２５に与えられることで発色し、所定の制御信号に基づく文字や絵を表示することができる。この表示部１１は、１つの表示素子２０が３〜５ｃｍ□程度で比較的に大きく、それぞれの表示素子２０の電圧印加による発色及び電圧遮断による消色が比較的にゆっくり変化するため、他の表示装置と異なり応答性を問題にしない屋外で使用する大型の宣伝用の表示装置あるいはインテリア材として使用することができる。表示素子２０の電圧を変化させたり、あるいは発色の異なる材料を使用することでカラフルな表示を実現できる。また、表示装置１０を部屋のガラス窓に設けることで、発色により外部から見えないようにすることもできる。
【００１２】
また、表示装置１０を構成する表示素子２０は、発色部２１が枠部材２８に取付けられており、その枠部材２８の４隅に透明電極２３，２５にショットキーダイオード３０，３１を介して接続された端子２９が下側に突出されているため、端子２９をベース３２に差込むことで、簡単に取付けることができ、同時にマトリックス配線１３に接続されるため、交換等も容易になる。
【００１３】
なお、表示素子２０の大きさは、必要に応じて任意にでき実施形態に限定されない。ショットキーダイオード３０，３１は、それぞれの隣接する表示素子２０に影響されないように設けたものであり、１つの表示素子２０の端子２９と透明電極２３，２５との間のいずれか一方に設けられるダイオードであればよく、またマトリックス配線１３に設けられていてもよい。さらに、表示素子２０の端子２９は、枠部材２８の４隅に設けられた例を説明したが、ベース３２への取付けとマトリックス配線１３への接続の機能を有し、それぞれの透明電極２３，２５に接続される少なくとも２本以上であればよく、場所も任意に取り付けることができる。
【００１４】
【発明の効果】
以上説明したように本発明の表示装置は、エレクトロクロミック表示素子を構成する矩形状に形成された発色部を枠部材に取付けた複数の表示素子をベースにマトリックス状に配置した表示部と、この表示部の表示素子のそれぞれにマトリックス配線により接続されて電圧を印加するための駆動回路と、この駆動回路に表示のために表示素子への電圧印加の制御信号を与える制御ボードと、駆動回路へ電源を供給するための電源回路とを備え、表示部の表示素子を制御ボードからの制御信号で駆動回路で電圧を印加することで、大型の屋外表示装置あるいはインテリア材に適した文字あるいは絵を表示することができる
【００１５】
また、本発明の表示素子構造は、枠部材に発色部の電極にダイオードを介して接続された端子が下側に突出され、端子がベースの表面に形成された孔に差込んで取付けられ、かつ端子がベースの裏面に設けられたマトリックス配線に接続されることで、表示素子は、発色部が枠部材に取付けら、その枠部材にダイオードを介して接続された端子が下側に突出されているため、端子をベースに差込むことで、簡単に取付けることができ、同時にマトリックス配線に接続されるため、交換等も容易になる。
【図面の簡単な説明】
【図１】本発明実施形態の表示装置の拡大部分断面図である。
【図２】本発明実施形態の表示装置の全体構成を説明する図である。
【図３】本発明実施形態の表示素子を構成する発色部を説明する断面図である。
【図４】本発明実施形態の表示素子の斜視図である。
【図５】本発明実施形態の表示素子の回路構成を説明する図である。
【符号の説明】
１０　表示装置
１１　表示部
１２　駆動回路
１３　マトリックス配線
１４　制御ボード
１５　電源回路
２０　表示装置
２１　発色部
２２，２４　ガラス基板
２３，２５　透明電極
２６　エレクトロクロミック材
２７　封止部
２８　枠部材
２８ａ　受け台
２８ｂ　カバー
２９　電極
３０，３１　ダイオード
３２　ベース
３２ａ　配線溝
３２ｂ　孔
【図１】
2004045800.tif 000003
【図２】
2004045800.tif 000004
【図３】
2004045800.tif 000005
【図４】
2004045800.tif 000006
【図５】
2004045800.tif 000007